(57)【要約】【課題】枠組足場の最上段に設ける先行手摺に関し、不要に手摺を高く手で持ち上げる必要が無く、上段に取り付ける作業を一人の作業者で可能とした、枠組足場の先行手摺を提供する。【解決手段】手摺枠１１の左右下端部に一対のクランプ１５ａ，１５ｂを設け、一対のクランプ１５ａ，１５ｂで枠組足場の建枠の建地パイプ２ａに取り付ける先行手摺１０において、手摺枠１１の左右の一方のみにクランプ１５ａ，１５ｂの上方に位置する掛止金物１６を設け、掛止金物１６を枠組足場の建枠頂部の横桟パイプに掛止し、掛止金物１６の無い側のクランプ１５ａから建地パイプ２ａに取り付ける。【選択図】図１
2004245000.tif 000002
【特許請求の範囲】
【請求項１】
左右一対の垂直材と、垂直材の上端をつなぐ水平材とで手摺枠を構成し、手摺枠の左右下端部に一対のクランプを設け、一対のクランプで枠組足場の建枠の建地パイプに取り付ける先行手摺において、手摺枠の左右の一方のみにクランプの上方に位置する掛止金物を設け、掛止金物を枠組足場の建枠頂部の横桟パイプに掛止し、掛止金物の無い側のクランプから建地パイプに取り付ける枠組足場の先行手摺。
【発明の詳細な説明】
【０００１】
【発明の属する技術分野】
本発明は、建設現場などで使用される枠組足場を組立・分解するときに、作業者の転落事故防止のため、枠組足場の最上段に設ける先行手摺に関する。
【０００２】
【従来の技術】
【特許文献１】実公平７−３５９９７号公報
【０００３】
建設現場などで使用される枠組足場は、門形をした２本の建枠をブレースで連結し、建枠頂部の横桟パイプの間に布板を載置したものをユニットとし、このユニットを建設現場の幅と高さに応じて左右・上下に連結して枠組足場を構成する。
【０００４】
したがって、最上段以外の布板に立って作業するときは建枠を連結しているブレースが安全柵の役目を果たすが、最上段の布板に立って作業するときの転落事故防止のため、先行手摺を設けている。
【０００５】
このような手摺として、実公平７−３５９９７号公報には、手摺り枠の縦杆下部に突起を設け、建枠の脚柱（建地パイプ）間に架け渡される水平杆（横桟パイプ）に着脱自在に係止可能な掛止部を有する左右一対の係止金具を突起に着脱自在に設け、突起の下方の縦杆に建枠の脚柱（建地パイプ）を把持する左右一対のつかみ金具を設け、つかみ金具は、手摺り枠の長手方向外方へ突出するように設けたものが示されている。
【０００６】
この手摺は、上段となる建枠やブレースから成る枠組足場ユニットを構成した後、手摺り枠の係止金具を建枠頂部の水平杆に掛止し、手摺り枠のつかみ金具を建枠の脚柱に固定して構成する。次に布板を建枠頂部の間に掛け渡した後、更に上段となる建枠やブレースから成る枠組足場ユニットを構成する。
【０００７】
この手摺では、一旦取り付けた手摺は分解時までそのまま取り付けておき、次々と新たな手摺を上段に取り付ける。そのため、全ての作業を行う場合において常にブレースと共に手摺が設置されているものである。
【０００８】
【発明が解決しようとする課題】
上記の従来技術においては、一旦取り付けた手摺は分解時までそのまま取り付けておく方式のため、全ての枠組足場ユニットに手摺が取り付けられ安全ではあるが、それだけの数の手摺を用意することはコストが莫大にかかる。
【０００９】
そのため、ブレースの設置されていない最上段にのみにこの手摺を取り付けることも考えられるが、上段に取り付けるために現在の段から取り外そうとしても、手摺枠の両下端は下段の建枠の縦材に把持されているため、一旦下段に降りてつかみ金具の把持を解いてからでないと上段に取り付けることができない。
【００１０】
つまり、手摺の取り付けられている段と下段の二名で取り外しの作業を行う必要があり、しかも取り外した手摺は手摺り枠の係止金具が建枠頂部の水平杆に載っているだけの不安定な状態となり、直ちに上段に取り付ける必要がある。
【００１１】
手摺を上段に取り付けるには、現在の位置から上段に対応する位置までほぼ水平に手摺を手で持ち上げ、左右一対の係止金具を同時に建枠の縦材の頂部を越して水平杆の上に載せる必要がある。更に、水平杆に載っているだけの不安定な状態なため、直ちにつかみ金具を建枠の脚柱に固定する必要がある。
【００１２】
上記の従来技術でも、手摺り枠の両縦杆下部の間に水平材が渡され、この水平材を手で持って持ち上げることは可能である。しかし、下側に位置する細い丸管で構成される水平材を両手で握っても、回って手摺り枠が倒れようとする不安定な状態となり、両縦杆部を持たないと安定して持ち上げることができない。
【００１３】
しかし、建枠の間隔は通常１５０から１８０ｃｍと広く、手摺り枠の両縦杆は建枠の縦材に保持させるものでその間隔も広く、一人の作業者が手摺り枠の両縦杆部を手で持って押し上げるのは困難である。この上段へ取り付ける作業にも二名の作業者が必要であれば、合計三名の作業者が必要となり、人手を多く必要とする。
【００１４】
そこで本発明では、枠組足場の最上段にのみに手摺を取り付けることができるよう、不要に手摺を高く手で持ち上げる必要が無く、上段に取り付ける作業を一人の作業者で可能とした、枠組足場の先行手摺を提供する事を目的とする。
【００１５】
【課題を解決するための手段】
本発明の枠組足場の先行手摺は、左右一対の垂直材１２と、垂直材１２の上端をつなぐ水平材１３とで手摺枠１１を構成し、手摺枠１１の左右下端部に一対のクランプ１５ａ，１５ｂを設け、一対のクランプ１５ａ，１５ｂで枠組足場１の建枠２の建地パイプ２ａに取り付ける先行手摺１０において、手摺枠１１の左右の一方のみにクランプ１５ａ，１５ｂの上方に位置する掛止金物１６を設け、掛止金物１６を枠組足場１の建枠２頂部の横桟パイプ２ｂに掛止し、掛止金物１６の無い側のクランプ１５ａから建地パイプ２ａに取り付けるものである。
【００１６】
【発明の実施の形態】
本発明では、手摺枠１１の左右の一方のみにクランプ１５ａ，１５ｂの上方に位置する掛止金物１６を設け、掛止金物１６を枠組足場１の建枠２頂部の横桟パイプ２ｂに掛止するから、先行手摺１０を掛止金物１６の側を上方として斜めにして掛止金物１６を横桟パイプ２ｂに掛止でき、不要に先行手摺１０を高く手で持ち上げる必要が無い。
【００１７】
また、掛止金物１６の無い側のクランプ１５ａから建地パイプ２ａに取り付けるから、一人の作業者がクランプ１５ａを手で持ち上げ固定できる。
【００１８】
【実施例】
以下、本発明の一実施例を図面を参照して説明する。
【００１９】
図１に示すのは枠組足場１に取り付けた先行手摺１０であり、枠組足場１は複数の門形をした建枠２が平行に立設され、その建枠２をブレース４で連結し、その建枠２の頂部の間に布板３を載置して作業者の足場としたものである。
【００２０】
建枠２には、垂直方向に平行な一対の建地パイプ２ａと、建地パイプ２ａの頂部の間をつなぐ水平方向の横桟パイプ２ｂを設ける。建枠２の間隔は、実施例では１８０ｃｍとした。
【００２１】
先行手摺１０には、その主要な枠体としての手摺枠１１として、左右一対の垂直材１２と、垂直材１２の上端をつなぐ水平材１３と、垂直材１２をつなぐ下部支持枠１４を設ける。
【００２２】
左右一対の垂直材１２と水平材１３は角管を曲げて一体に構成される。下部支持枠１４は、左右の垂直材１２をつなぐ水平方向の角管で、水平材１３の下方に位置しほぼ布板３の高さと同一で、下部支持枠１４の両端は垂直材１２に溶着される。
【００２３】
また、下部支持枠１４と水平材１３の中間に位置し、垂直材１２の間を水平につなぐ中間水平材１７と、下部支持枠１４と中間水平材１７の中間部を垂直につなぐ垂直中桟１８を設ける。
【００２４】
手摺枠１１の垂直材１２の左右下端部に一対のクランプ１５ａ，１５ｂを設ける。クランプ１５ａ，１５ｂは垂直材１２から左右外方向に突出し、その水平方向の位置は同一とし、その垂直方向の高さは右側のクランプ１５ｂより左側のクランプ１５ａの方がその高さ分以上に上方に位置する。
【００２５】
このクランプ１５ａ，１５ｂは、先行手摺１０を枠組足場１に取り付ける際、建枠２の建地パイプ２ａに取り付け固定する。クランプ１５ａ，１５ｂは布板３側に開口するよう取り付けられ、ネジを締め付けることにより建地パイプ２ａにしっかりと固定されるものである。なお、高さが低い側の右側のクランプ１５ｂでも、ブレース４の上方となるようにした方が作業性が良い。
【００２６】
手摺枠１１の左右に位置する垂直材１２で、一方のみの垂直材１２にクランプ１５ａ，１５ｂの上方に位置する掛止金物１６を設ける。実施例では右側の垂直材１２のみに掛止金物１６を設け、掛止金物１６は右側のクランプ１５ｂの上方に位置する。
【００２７】
掛止金具１６は垂直材１２から右方向に突出した板であり、その垂直方向の高さは下部支持枠１４の高さとほぼ同一とし、その水平方向の位置は垂直材１２の布板３側に位置する。
【００２８】
この掛止金具１６は、先行手摺１０を枠組足場１に取り付ける際、建枠２の頂部の横桟パイプ２ｂに掛止される。
【００２９】
次に枠組足場１の組立、および先行手摺１０の取り付け、移動方法について説明する。
【００３０】
枠組足場１の組立において、１段目は必要とする幅に相当する数の建枠２を順次立設し、ブレース４で建枠２を連結する。
【００３１】
図６および図７に示すように、２段目用の先行手摺１０の取り付け作業は、先行手摺１０を掛止金物１６の側を上方として斜めにして持ち上げ、掛止金物１６を横桟パイプ２ｂの上に掛止する。この際、一方の手で掛止金物１６の無い側の垂直材１２を持ち、もう一方の手で下部支持枠１４の中間部または垂直中桟１８を持つと良い。
【００３２】
このとき、手摺枠１１の左右の一方のみにクランプ１５ｂの上方に位置する掛止金物１６を設け、掛止金物１６を枠組足場１の建枠２頂部の横桟パイプ２ｂに掛止するに際して、先行手摺１０を掛止金物１６の側を上方として斜めにして掛止金物１６を横桟パイプ２ｂに掛止でき、不要に先行手摺１０を高く手で持ち上げる必要が無いから、取り付け作業の作業性が良い。
【００３３】
次に、右側のクランプ１５ｂを掛けやすくするために、掛止金物１６が建枠２の建地パイプ２ａに当たるまで寄せ、掛止金物１６の無い左側のクランプ１５ａを持ち上げ、クランプ１５ａ上面が横桟パイプ２ｂ下面約１ｃｍの位置で建地パイプ２ａに両手でしっかりと固定する。
【００３４】
このとき、掛止金物１６の無い側のクランプ１５ａから建地パイプ２ａに取り付け、一人の作業者がクランプ１５ａを手で持ち上げ固定できるから、人手を多く必要としない。
【００３５】
左側のクランプ１５ａを固定すると先行手摺１０が倒れる畏れがないので、作業者は先行手摺１０から手を離して右側のクランプ１５ｂの側に移り、右側のクランプ１５ｂを両手でしっかりと固定する。
【００３６】
図８および図９に示すように、順次、隣接する建枠２の横桟パイプ２ｂに先行手摺１０の掛止金具１６を掛止し、クランプ１５ａ，１５ｂを建地パイプ２ａに固定する。隣り合う先行手摺１０では同一の建地パイプ２ａにクランプ１５ａ，１５ｂが取り付けられるが、クランプ１５ａ，１５ｂは上下方向に交互に位置するから重なり合うことはなく、先行手摺１０は一直線上に取り付ける。
【００３７】
次に、図１０に示すように、布板３を建枠２の頂部の間に載置し、その後２段目の枠組足場１も同様に組み立てる。
【００３８】
なお、ブレース４を建枠２に取り付ける際に、先行手摺１０が内側に無いので、簡単に取り付けられる。また、先行手摺１０が建枠２の建地パイプ２ａに固定されているので、手摺間隔が広く作業性が良い。
【００３９】
３段目用の先行手摺１０に盛り替える（付け替える）には二名の作業者を必要とし、図１１に示すように、２段目の作業者Ａが先行手摺１０を支え、１段目の作業者Ｂがクランプ１５ａ，１５ｂを緩めて取り外す。次に、図１２に示すように、２段目の作業者Ａが直ちに先行手摺１０を持ち上げ、固定する。
【００４０】
このときも、手摺枠１１の左右の一方のみにクランプ１５ｂの上方に位置する掛止金物１６を設け、掛止金物１６を枠組足場１の建枠２頂部の横桟パイプ２ｂに掛止するに際して、先行手摺１０を掛止金物１６の側を上方として斜めにして掛止金物１６を横桟パイプ２ｂに掛止でき、不要に先行手摺１０を高く手で持ち上げる必要が無いから、取り付け作業の作業性が良い。
【００４１】
また、掛止金物１６の無い側のクランプ１５ａから建地パイプ２ａに取り付け、一人の２段目の作業者Ａがクランプ１５ａを手で持ち上げ固定できるから、人手を多く必要としない。
【００４２】
上記のような同様の手順を繰り返し、上方に枠組足場１を形成していく。また、枠組足場１の分解を行うには、上記を逆の手順で繰り返せばよい。
【００４３】
なお、図３には先行手摺１０を外側と建屋側の両側に取り付けた状態を示しているが、両側に取り付けることにより、親綱や安全帯を使用することなく作業ができるので、作業効率と安全性が向上する。
【００４４】
以上の実施例では、一方の手で掛止金物１６の無い側の垂直材１２を持ち、もう一方の手で下部支持枠１４の中間部または垂直中桟１８を持つ例を示したが、下部支持枠１４や垂直中桟１８に換えて持ち手専用の部材を設けて、それを持つようにしても良い。
【００４５】
また、先行手摺１０を上段に取り付けてから布板３を建枠２の頂部の間に載置する例を示したが、布板３を載置してから先行手摺１０を取り付けても良い。
【００４６】
また、先行手摺１０を盛り替えて最上段にのみ取り付ける例を示したが、全ての段に取り付けるようにしても良い。
【００４７】
【発明の効果】
本発明によれば、手摺枠の左右の一方のみにクランプの上方に位置する掛止金物を設け、掛止金物を枠組足場の建枠頂部の横桟パイプに掛止するに際して、先行手摺を掛止金物の側を上方として斜めにして掛止金物を横桟パイプに掛止でき、不要に先行手摺を高く手で持ち上げる必要が無いから、取り付け作業の作業性が良い。
【００４８】
また、掛止金物の無い側のクランプから建地パイプに取り付け、一人の作業者がクランプを手で持ち上げ固定できるから、人手を多く必要としない。
【図面の簡単な説明】
【図１】枠組足場の先行手摺の一実施例に係る正面図である。
【図２】その平面図である。
【図３】その側面図である。
【図４】図１の部分拡大図である。
【図５】図２の部分拡大図である。
【図６】図１の先行手摺を取り付ける状態を示す図である。
【図７】図２の先行手摺を取り付ける状態を示す図である。
【図８】図１の枠組足場を横に連結しそれに取り付けた図である。
【図９】図２の枠組足場を横に連結しそれに取り付けた図である。
【図１０】図８の枠組足場を上に連結した図である。
【図１１】図１０の先行手摺を盛り替える作業状態を示す図である。
【図１２】図１１の続きの作業状態を示す図である。
【符号の説明】
１  枠組足場
２  建枠
２ａ  建地パイプ
２ｂ  横桟パイプ
１０  先行手摺
１１  手摺枠
１２  垂直材
１３  水平材
１５ａ  クランプ
１５ｂ  クランプ
１６  掛止金物
【図１】
2004245000.tif 000003
【図２】
2004245000.tif 000004
【図３】
2004245000.tif 000005
【図４】
2004245000.tif 000006
【図５】
2004245000.tif 000007
【図６】
2004245000.tif 000008
【図７】
2004245000.tif 000009
【図８】
2004245000.tif 000010
【図９】
2004245000.tif 000011
【図１０】
2004245000.tif 000012
【図１１】
2004245000.tif 000013
【図１２】
2004245000.tif 000014